(57)【要約】【課題】ＡＬＣパネル壁体の施工、特に自重受け金物の建物躯体側の構造への溶接を、従来よりも簡略化、容易化された作業手順で行うことができる軽量気泡コンクリートパネル用の自重受け金物を提供すること。【解決手段】自重受け水平板１１と、垂直支持板１２と、を含んでなり、垂直支持板１２には溶接用補助板部１２６、１２７が形成されていて、溶接用補助板部１２６、１２７は、垂直支持板１２の側端部近傍から延出していて、垂直支持板１２の表面に対して垂直方向に離間しており、且つ、垂直支持板１２の表面と平行に配置されている、自重受け金物１とする。【選択図】図２
2018155043.tif 000002
【特許請求の範囲】
【請求項１】
軽量気泡コンクリートパネル用の自重受け金物であって、
自重受け水平板と、垂直支持板と、を含んでなり、
前記垂直支持板には溶接用補助板部が形成されていて、
前記溶接用補助板部は、前記垂直支持板の側端部近傍から延出していて、該垂直支持板の表面に対して垂直方向に離間しており、且つ、該垂直支持板の表面と平行に配置されている、自重受け金物。
【請求項２】
前記垂直支持板の一の表面から垂直方向に離間して配置されている一の溶接用補助板部と、他の表面から反対向きの垂直方向に離間して配置されている他の溶接用補助板部とが、前記垂直支持板の両面上にそれぞれ配置されている請求項１に記載の自重受け金物。
【請求項３】
請求項１又は２に記載の自重受け金物に軽量気泡コンクリートパネルが載置されていて、該自重受け金物の前記溶接用補助板部が、建物躯体に直接又は下地鋼材を介して溶接されている、軽量気泡コンクリートパネルの取付け構造。
【請求項４】
複数の軽量気泡コンクリートパネルが縦方向に積層されてなる壁体において、前記壁体の最下段に配置されている軽量気泡コンクリートパネルを除くその他の軽量気泡コンクリートパネルを載置する自重受け金物が、請求項１又は２に記載の自重受け金物であって、該自重受け金物の前記溶接用補助板部が、建物躯体に直接又は下地鋼材を介して溶接されている、軽量気泡コンクリートパネルの取付け構造。
【発明の詳細な説明】
【技術分野】
【０００１】
本発明は、軽量気泡コンクリートパネル（ＡＬＣパネル）用の自重受け金物及びそれを用いた軽量気泡コンクリートパネルの取付け構造に関する。
【背景技術】
【０００２】
従来、建物の帳壁をＡＬＣパネルによって構成することが広く行われている。このような壁体においては、ＡＬＣパネルの自重は、アングル等の下地を介して建物躯体に取付けられた自重受け金物によって支持されている（特許文献１参照）。より詳しくは、上記の下地となるアングルは、通常、柱等の建物躯体に溶接固定されており、自重受け金物も、通常、この下地となるアングルの垂直面にパネルの寸法と対応する間隔で溶接固定されている。
【０００３】
自重受け金物は、パネルを載置する水平面とこれに対して直角をなす垂直面を一体形成又は各面を構成する板材を組合せて一体化した断面略Ｌ字状のアングル材が用いられる。このようなアングル材において、水平面の長手方向両端部を垂直面の幅よりも長い構成とすることによって、壁パネルの生産性と意匠性を向上させることができるように改良されている金物等も開発されている（特許文献２参照）。
【先行技術文献】
【特許文献】
【０００４】
【特許文献１】特開２００２−０８８９５８号公報
【特許文献２】特開２００５−３４４４４３号公報
【発明の概要】
【発明が解決しようとする課題】
【０００５】
ここで、ＡＬＣパネルを積載してなる壁体の取付け作業においては、通常、壁体の外部側（足場側）から溶接作業が行われる。しかしながら、特許文献１及び２に開示されている自重受け金物も含め、従来の自重受け金物は、いずれも、その垂直面を構成する支持板を、下地材とするアングルに固定する際には、壁体の内部側での溶接作業が生じる。このことは、ＡＬＣパネルの取付け作業に全般において、溶接作業の煩雑さを高め、作業精度の確保に格段の注意を払う必要を余儀なくしており、ＡＬＣパネルの取付け作業の生産性を高める上での障害となっていた。
【０００６】
本発明は、ＡＬＣパネル壁体の生産性や品質安定性の向上に寄与するために、ＡＬＣパネル壁体の施工、特に自重受け金物の建物躯体側の構造への溶接を、従来よりも簡略化、容易化された作業手順で行うことができる軽量気泡コンクリートパネル用の自重受け金物を提供することを目的とする。
【課題を解決するための手段】
【０００７】
本発明者らは、自重受け金物を構成する垂直支持板の側端に壁体の外部側（足場側）からの溶接作業を可能とせしめる溶接用補助板部を形成することにより、上記課題が解決できることを見出し、本発明を完成するに至った。具体的には、本発明は、以下のものを提供する。
【０００８】
（１）  軽量気泡コンクリートパネル用の自重受け金物であって、自重受け水平板と、垂直支持板と、を含んでなり、前記垂直支持板は溶接用補助板部が形成されていて、前記溶接用補助板部は、前記垂直支持板の側端部近傍から延出していて、該垂直支持板の表面に対して垂直方向に離間しており、且つ、該垂直支持板の表面と平行に配置されている、自重受け金物。
【０００９】
（１）の発明により、ＡＬＣパネル壁体の製造におけるＡＬＣパネルの取付け作業において、自重受け金物を下地材とするアングルに固定する全ての溶接作業を、壁体の外部側（足場側）から行うことができるようになった。又、溶接用補助板部の位置をＡＬＣパネル設置位置に適合するように設計することで、取付けの作業性が向上する。以上により、自重受け金物の建物躯体側の構造への溶接を、従来よりも簡略化、容易化された作業手順で行うことができ、ＡＬＣパネル壁体の生産性や品質安定性の向上に寄与することができる。
【００１０】
（２）  前記垂直支持板の一の表面から垂直方向に離間して配置されている一の溶接用補助板部と、他の表面から反対向きの垂直方向に離間して配置されている他の溶接用補助板部とが、前記垂直支持板の両面上にそれぞれ配置されている（１）に記載の自重受け金物。
【００１１】
（２）の発明によれば、（１）に記載の自重受け金物において、更に、溶接用補助板部を、垂直支持板の前面と背面にそれぞれ１つずつ配置する構成とした。このような自重受け金物によれば、設置箇所に応じて適宜上下前後を反転させて用いることにより、１種類の型からなる自重受け金物で、左右いずれの向きに向けた設置にも対応することができる。よって、取付け勝手方向を考慮する必要がないため金物の種類を削減でき、作業性が一層向上するとともに、在庫管理や製造管理に要するコストを削減することができる。
【００１２】
（３）  （１）又は（２）に記載の自重受け金物に軽量気泡コンクリートパネルが載置されていて、該自重受け金物の前記溶接用補助板部が、建物躯体に直接又は下地鋼材を介して溶接されている、軽量気泡コンクリートパネルの取付け構造。
【００１３】
（３）の発明によれば、（１）又は（２）の発明の効果を享受することにより、ＡＬＣパネル壁体を形成する際の作業性が顕著に向上する。これにより、ＡＬＣパネル壁体の生産性や品質安定性の向上に貢献することができる。
【００１４】
（４）  複数の軽量気泡コンクリートパネルが縦方向に積層されてなる壁体において、前記壁体の最下段に配置されている軽量気泡コンクリートパネルを除くその他の軽量気泡コンクリートパネルを載置する自重受け金物が、（１）又は（２）に記載の自重受け金物であって、該自重受け金物の前記溶接用補助板部が、建物躯体に直接又は下地鋼材を介して溶接されている、軽量気泡コンクリートパネルの取付け構造。
【００１５】
（４）の発明によれば、ＡＬＣパネル壁体の取付け構造を、当該壁体の最下段に配置されている軽量気泡コンクリートパネルを除くその他の軽量気泡コンクリートパネル、即ち、最下段から２段目以上に配置されているＡＬＣパネルが（１）又は（２）に記載の自重受け金物に載置されている構造とした。ＡＬＣパネル壁体の取付け作業においては、特に最下段から２段目以上に配置されているＡＬＣパネルについて、作業壁体の内部側からの溶接作業を余儀なくされることが、取付け作業全体の効率を著しく低下させる。この場合、壁体の内部側からの溶接作業を行うために、足場での作業を中断して足場を降り、壁体の内部側（建物の内部）に移動し、更には、建物内にこの溶接のための新たな足場を設ける必要が生じるからである。（４）の発明によれば、このような作業効率の低下を回避して、ＡＬＣパネル壁体の生産性や品質安定性の向上に寄与することができる。
【発明の効果】
【００１６】
本発明によれば、ＡＬＣパネル壁体の施工、特に自重受け金物の建物躯体側の構造への溶接を、従来よりも簡略化、容易化された作業手順で行うことができる軽量気泡コンクリートパネル用の自重受け金物を提供することができる。
【図面の簡単な説明】
【００１７】
【図１】本発明の自重受け金物を用いた軽量気泡コンクリートパネルの取付け構造の立面図である。
【図２】本発明の自重受け金物の斜視図である。
【図３】本発明の自重受け金物を用いた軽量気泡コンクリートパネルの取付け構造の側面図である。
【図４】本発明の自重受け金物の他の実施形態に係る斜視図である。
【図５】本発明の自重受け金物（図４に示す実施形体）を用いた軽量気泡コンクリートパネルの取付け構造の側面図である。従来の軽量気泡コンクリートパネルの取付け構造の他の実施形態の側面図である。
【発明を実施するための形態】
【００１８】
以下、本発明の自重受け金物を用いて形成することができる軽量気泡コンクリートパネル壁体（以下、単に、「壁体」とも言う）、本発明の軽量気泡コンクリートパネルの取付け構造（以下、単に、「取付け構造」とも言う）、及び、軽量気泡コンクリートパネル用の自重受け金物（以下、単に、「自重受け金物」とも言う）の好ましい実施形態について説明する。尚、以下においては、主に、複数の長方形のＡＬＣパネルを、横積みにして建造物の柱等の建物躯体にパネル両端部を接合することによって建物の帳壁を構成する壁体に本発明を適用する場合の実施形態について説明する。但し、本発明は、このような実施形態に限定されるものではない。
【００１９】
＜壁体＞
図１は、本発明にかかる壁体１００の立面図である。壁体１００は取付け構造１０により建物躯体に取り付けられている。又、取付け構造１０は、自重受け金物１を含んで構成されていて、ＡＬＣパネル２が自重受け金物１に載置されてなる部分に形成されている自重受け金物１とＡＬＣパネル２との接合構造である。
【００２０】
壁体１００においては、複数の長方形のＡＬＣパネル２が横積み配置されている。ＡＬＣパネル２は、主として、壁体１００の垂直方向に沿ってパネル数枚ごとの間隔で設置されている自重受け金物１によって、その重量を支持されている。自重受け金物１は、縦アングルからなる下地鋼材４を介して建物躯体３に固定されている。そして、自重受け金物１は、ＡＬＣパネル２の下部小口面における幅方向の両端部に対応する位置に配置されることにより、ＡＬＣパネル２の重量を有効に支持している。
【００２１】
又、複数のＡＬＣパネル２が縦方向に複数積層されてなる壁体１００においては、建築物の建物躯体３又はこれに溶接固定された縦アングル鋼材からなる下地鋼材４に、通常、パネル数段分の間隔で、ＡＬＣパネルの自重を受ける自重受け金物１が、溶接固定されている。
【００２２】
＜取付け構造＞
自重受け金物１とＡＬＣパネル２との接合構造である取付け構造１０においては、ＡＬＣパネル２が自重受け金物１に載置されている。
【００２３】
＜自重受け金物＞
自重受け金物１（１Ａ、１Ｂ）は、図２又は図４に示すように、自重受け水平板１１と、垂直支持板１２とが継合されることにより構成されている。そして垂直支持板１２には、溶接用補助板部１２６と１２７、或いは、溶接用補助板部１２８と１２９が形成されている。本発明の自重受け金物は、自重受け水平板１１と、垂直支持板１２とを含んでなり、更に本願特有の配置で溶接用補助板部が形成されている構成であれば、このように複数の部材が継合されてなる構造のものには限られない。例えば、自重受け水平板１１と垂直支持板１２とが予め一体成形されている構造であってもよい。具体的には特許文献１に開示されているように、アングル材を必要長さに切断しただけの単純な構造によって、自重受け水平板と垂直支持板がそれぞれ構成されているものであってもよい。
【００２４】
自重受け水平板１１は、略矩形形状等の金属板からなるパネル載置板１１１を、少なくとも含んで構成される。図２又は図４に示すように、自重受け金物１が、一体形成品ではなくて、自重受け水平板１１と垂直支持板１２とを係合させて構成するものである場合には、自重受け水平板１１には、垂直支持板１２に連接可能なアンカー部１１３と１１４或いは１１５と１１６が、自重受け水平板１１の側端から延出する態様で形成される。このような自重受け水平板１１は、例えば、所定の形状に打ち抜いた一枚の金属板を、所定の位置において折り曲げ加工することによって形成することができる。
【００２５】
垂直支持板１２は、自重受け水平板１１に対して垂直に配置される板状部材である。図２又は図４に示すように、上記同様、自重受け金物１（１Ａ、１Ｂ）が、自重受け水平板１１と垂直支持板１２とを継合させて構成するものである場合には、垂直支持板１２には、自重受け水平板１１のアンカー部と係合可能な貫通スリット１２１が形成される。貫通スリット１２１は、自重受け水平板１１と垂直支持板１２との交線に対して平行な向きに、垂直支持板１２を貫通するスリットして形成される。
【００２６】
自重受け金物１を構成する自重受け水平板１１と垂直支持板１２の厚さは、いずれも建物躯体の取付け面の厚さと同じであることが好ましい。両者の厚さをこのような厚さとすることにより、自重受け金物１を建物躯体に直接又は下地鋼材を介して溶接接合する場合に、作業性が良くなるとともに、溶接強度に優れた接合とすることができるからである。
【００２７】
図２及び図４に示すように、垂直支持板１２は溶接用補助板部１２６及び１２７、或いは、溶接用補助板部１２８及び１２９を有する。これらの各溶接用補助板部は、いずれも垂直支持板１２の側端部近傍から延出していて、垂直支持板１２の表面に対して垂直方向に離間しており、且つ、垂直支持板１２の表面と平行に配置されている。
【００２８】
溶接用補助板部１２６、１２７（１２８、１２９）は、垂直支持板１２の各面上に、それぞれ１つずつ、それぞれ垂直支持板１２に対して反対向きの垂直方向に離間して配置されていることが好ましい。
【００２９】
例えば、図２に示すように、垂直支持板１２の一の表面から垂直方向に離間していて、且つ、垂直支持板１２の表面上の空間からも水平方向に離間して配置されている一の溶接用補助板部１２６と、他の表面から反対向きの垂直方向に同様に離間していて、且つ、垂直支持板１２の表面上の空間からも上記方向とは反対向きの水平方向に離間して配置されている他の溶接用補助板部１２７とが、垂直支持板１２の両面上にそれぞれ配置されている形体を、本発明の自重受け金物における好ましい溶接用補助板部の具体的な配置例として挙げることができる。
【００３０】
図２に示すように、自重受け金物１（１Ａ）は、壁体１００の外部側に向けて垂直支持板１２から延出している溶接用補助板部１２６を、下地アングル等の下地鋼材４における壁体１００の外部側の面上に密着させる態様で、即ち、溶接用補助板部１２６と下地鋼材４が、同一平面を構成する態様で、自重受け金物１（１Ａ）を下地鋼材４に取り付けることができる。このような取付け構造に対しては、壁体１００の外部側（足場側）からの作業のみで、効率良く、容易に、溶接ビート７を接合部分に盛りつけることができ、これにより、自重受け金物１（１Ａ）の建物躯体への溶接接合の強度を十分に高めることができる。
【００３１】
図２に示す形体からなる自重受け金物１（１Ａ）は、複数のＡＬＣパネル２が縦方向に複数積層されてなる壁体において、最下段のパネルを載置する自重受け金物として特に好ましく用いることができる。図３は、図２に示す形体からなる自重受け金物１（１Ａ）を、上記壁体における最下段のＡＬＣパネル２を載置する自重受け金物として用いた取付け構造１０の側面図である。図３に示すように、図２に示す自重受け金物１（１Ａ）の自重受け水平板１１Ａは建物基礎６と上の適切な垂直位置でＡＬＣパネル２の自重を受けることができる。又、壁体側に突出することとなる溶接用補助板部１２６も、ＡＬＣパネル２に通常形成されているコーナーの切り欠き部分内に収まり、ＡＬＣパネル２と自重受け金物１（１Ａ）との干渉も回避することができる。
【００３２】
尚、従来、汎用的に用いられている断面略Ｌ字状のアングル材からなる自重受け金物（特許文献２参照）を用いた場合には、下地鋼材４への固定に先立って、位置決め用の仮設鋼材を自重受け金物の配置位置に合せて別途正確に溶接等により取付ける必要があった。これに対して、本発明の自重受け金物１を用いる場合には、自重受け金物１を、溶接用補助板部１２６の上面の垂直位置がＡＬＣパネルの下端の墨出し位置と重なるように設計しておくことで、上記の仮設鋼材の取付け作業を割愛して、容易、且つ、高い精度で、ＡＬＣパネル２の位置決めを行うことができる。
【００３３】
又、図４に示すように、それぞれ垂直支持板１２の表面から反対向きの垂直方向に離間しつつ、水平方向においては、垂直支持板１２の表面上の空間内に近接して配置されている一の溶接用補助板部１２８と他の溶接用補助板部１２９との組合せを含んで構成される形体を、自重受け金物１（１Ｂ）における、他の好ましい溶接用補助板部の配置例として挙げることができる。
【００３４】
図４に示す形体からなる自重受け金物１（１Ｂ）は、複数のＡＬＣパネル２が縦方向に複数積層されてなる壁体において、特に、最下段のパネル以外の、より上方に配置されるＡＬＣパネル２を載置する自重受け金物として特に好ましく用いることができる。図５は、図４に示す形体からなる自重受け金物１（１Ｂ）を、上記壁体における下端から２段目以上の位置に配置されるＡＬＣパネル２を載置する自重受け金物として用いた取付け構造１０の側面図である。図５に示すように、図４に示す取付け金物１（１Ｂ）の自重受け水平板１１は適切な垂直位置でＡＬＣパネル２の自重を受けることができる。又、壁体側に突出することとなる溶接用補助板部１２８も、ＡＬＣパネル２に通常形成されているコーナーの切り欠き部分内に収まり、ＡＬＣパネル２と自重受け金物１（１Ｂ）との干渉も回避することができる。
【００３５】
尚、図２及び図４に示す自重受け金物１（１Ａ、１Ｂ）は、いずれも、自重受け水平板１１が垂直支持板１２に対して、壁体１００のロッキング性能、即ち、ＡＬＣパネル２の微少な回転により外力により生ずる応力を開放する性能を発現させるために必要な範囲で、揺動することが可能な自重受け金物である。本発明の自重受け金物は、このように、ロッキング性能の発現に基づく優れた耐震性を有する壁体の構成にも好ましく用いることができるものである。
【００３６】
尚、本発明の自重受け金物１は、自重受け水平板１１と垂直支持板１２とが、一体化される前の分離した状態で一組の組合せとされている、自重受け金物組立てキットとしても、好ましくこれを用いることができる。
【００３７】
例えば、図２及び図４に示す自重受け金物１は、このように一体化された状態で、壁体１００の建設現場に搬入されたものを用いることもできるが、一体化前の部品の組合せである金物組立てキットを建設現場に搬入し、この自重受け金物組立てキットを一体化して自重受け金物１を組立てる工程と、このようにして組立たてた自重受け金物１にＡＬＣパネル２を載置する工程と、を、いずれも壁体１００の設置現場において行うことにより、壁体１００を形成することもできる。
【符号の説明】
【００３８】
１（１Ａ、１Ｂ）                    自重受け金物
１１                                自重受け水平板
１１１                              パネル載置板
１１２                              アンカー部
１２                                垂直支持板
１２１                              貫通スリット
１２６、１２７、１２８、１２９      溶接要補助板部
２                                  軽量気泡コンクリートパネル
３                                  建物躯体
４                                  下地鋼材
６                                  建物基礎
７                                  溶接ビート
１０                                軽量気泡コンクリートパネルの取付け構造
１００                              軽量気泡コンクリートパネル壁体
【図１】
2018155043.tif 000003
【図２】
2018155043.tif 000004
【図３】
2018155043.tif 000005
【図４】
2018155043.tif 000006
【図５】
2018155043.tif 000007